(57)【要約】      （修正有）【課題】組み立てが容易な挿線式接線プラスチックランプソケットを提供する。【解決手段】挿線ボックス１０、弾性片２０、ベース３０によりなる。挿線ボックス１０は一面が開放状で、内部には収容槽１１を形成し、両端には外へと貫通する貫通口１２をそれぞれ備え、壁面上には係合接続ほぞ１５を設置する。弾性片２０は、収容槽１１に設置され、Ｖ型屈折２１を備え、両端は屈折して係合接続フック２２を形成し、挿線ボックス１０の内側壁体１４を押さえる。ベース３０は、平板３１上に一面が開放状のボックス槽３４を一体成型し、両端には外へと貫通する貫通口３５をそれぞれ備え、ボックス槽３４の壁体３７上には、係合接続孔３８を設置する。挿線ボックス１０により、ボックス槽３４上に蓋をすることで係合接続ほぞ１５と係合接続孔３８は係合接続し、挿線ボックス１０とボックス槽３４の両端は、貫通孔１２、３５が合わさり、一緒に接線孔を組成する。【選択図】図１
0003168585.tif 000002
【実用新案登録請求の範囲】
【請求項１】
挿線ボックス、弾性片、ベースにより組成し、
前記ランプソケットは、２個の挿線ボックスを備え、
前記挿線ボックスは、一面が開放状で、内部には収容槽を形成し、両端には外へと貫通する貫通口をそれぞれ備え、前記挿線ボックスの壁面上には、係合接続部品を設置し、
前記ランプソケットは、２個の弾性片を備え、
前記弾性片上には、Ｖ型屈折を備え、両端は屈折して係合接続フックを形成し、前記弾性片は、前記挿線ボックスの収容槽内に係合して設置し、これにより両端は前記挿線ボックスの内側壁体を押さえ、
前記ベースは、平板上に、環状の境界壁を設置し、外周上には、接続用の多数の柱体を設置し、
前記平板は、前記境界壁上に、相互に対称なボックス槽を一体成型し、
これにより、１個の前記ランプソケットは、２個のボックス槽を備え、前記各ボックス槽の一面は開放状を呈し、両端には、外へと貫通する貫通口をそれぞれ備え、前記ボックス槽の壁体及び内側の壁体上には、係合接続部品を設置し、
前記弾性片を装填する挿線ボックスにより、前記ベースのボックス槽上に蓋をし、これにより、前記挿線ボックス上の係合接続部品と前記ベース上の係合接続部品は、対応して係合接続し、
前記挿線ボックスと前記ボックス槽の両端は、前記貫通孔が合わさり、一緒に接線孔を組成することを特徴とする挿線式接線プラスチックランプソケット。
【請求項２】
前記挿線ボックスの貫通口は、半円状であることを特徴とする請求項１に記載の挿線式接線プラスチックランプソケット。
【請求項３】
前記挿線ボックスの外側壁体は、平坦で、内側壁体は、内側へと窪んだ弧状を呈することを特徴とする請求項１に記載の挿線式接線プラスチックランプソケット。
【請求項４】
前記挿線ボックスの壁面上に設置する係合接続部品は、係合接続ほぞであることを特徴とする請求項１に記載の挿線式接線プラスチックランプソケット。
【請求項５】
前記挿線ボックスの貫通口内側には、係合固定柱を設置し、前記貫通口内側及び前記壁体内側との間に、微小な間隙を備え、
前記弾性片の、屈折して係合接続フックを形成する屈折位置は、前記係合固定柱と前記貫通口及び前記壁体間の微小間隙内に嵌合することを特徴とする請求項１に記載の挿線式接線プラスチックランプソケット。
【請求項６】
前記係合固定柱は、好ましくは湾曲した弧状表面に成型することを特徴とする請求項５に記載の挿線式接線プラスチックランプソケット。
【請求項７】
前記弾性片の屈折位置は、好ましくは湾曲弧状に成型することを特徴とする請求項５に記載の挿線式接線プラスチックランプソケット。
【請求項８】
前記ベースのボックス槽の貫通口は、半円状であることを特徴とする請求項１に記載の挿線式接線プラスチックランプソケット。
【請求項９】
前記ベースのボックス槽の外側壁体は平坦で、内側壁体と境界壁とは一体に連接することを特徴とする請求項１に記載の挿線式接線プラスチックランプソケット。
【請求項１０】
前記ベースのボックス槽の壁面上に設置する係合接続部品は、係合接続孔であることを特徴とする請求項１に記載の挿線式接線プラスチックランプソケット。
【請求項１１】
前記ベースのボックス槽の底面には、湾曲弧状を呈するランプピン接続孔を開設し、
前記ランプピン接続孔は、一端が広がった形状であることを特徴とする請求項１に記載の挿線式接線プラスチックランプソケット。
【考案の詳細な説明】
【技術分野】
【０００１】
本考案は挿線式接線プラスチックランプソケットに関し、特に係合、及び挿入接続の結合構造を採用し、組み立てを便利かつ迅速に完成させられる挿線式接線プラスチックランプソケットに関する。
【背景技術】
【０００２】
現在市場では、多種多様のランプソケットが見られるが、その性能と構造には、それぞれ特色がある。しかし、大多数のランプソケットは、比較的複雑な組立て構造を持つため、材料を浪費してしまう他、組立て及び結合においては非常に煩雑である。一般に、従来のランプソケットを組立てる際には、ボルト、リベット、或いはネジなどの連接部品による接合を使わない訳にはいかず、そのためランプソケットのコストは拡大してしまい、生産効率も低い。本考案は、従来のランプソケットの上記した欠点に鑑みてなされたものである。    
【考案の概要】
【考案が解決しようとする課題】
【０００３】
本考案が解決しようとする課題は、組み立てを便利かつ迅速に完成させられる挿線式接線プラスチックランプソケットを提供することである。
【課題を解決するための手段】
【０００４】
上記課題を解決するため、本考案は下記の挿線式接線プラスチックランプソケットを提供する。
挿線式接線プラスチックランプソケットは、挿線ボックス、弾性片、ベースにより組成し、
該ランプソケットは、２個の挿線ボックスを備え、
該挿線ボックスは、一面が開放状で、内部には収容槽を形成し、両端には外へと貫通する貫通口をそれぞれ備え、該挿線ボックスの壁面上には、係合接続部品を設置し、
該ランプソケットは、２個の弾性片を備え、
該弾性片上には、Ｖ型屈折を備え、両端は屈折して係合接続フックを形成し、該弾性片は、該挿線ボックスの収容槽内に係合して設置し、これにより両端は該挿線ボックスの内側壁体を押さえ、
該ベースは、平板上に、環状の境界壁を設置し、外周上には、接続用の多数の柱体を設置し、
該平板は、該境界壁上に、相互に対称なボックス槽を一体成型し、
これにより、１個の該ランプソケットは、２個のボックス槽を備え、該各ボックス槽の一面は開放状を呈し、両端には、外へと貫通する貫通口をそれぞれ備え、該ボックス槽の壁体及び内側の壁体上には、係合接続部品を設置し、
該弾性片を装填する挿線ボックスにより、該ベースのボックス槽上に蓋をし、これにより、該挿線ボックス上の係合接続部品と該ベース上の係合接続部品は、対応して係合接続し、
該挿線ボックスと該ボックス槽の両端は、該貫通孔が合わさり、一緒に接線孔を組成し、該挿線ボックスの貫通口は、半円状で、
該挿線ボックスの外側壁体は、平坦で、内側壁体は、内側へと窪んだ弧状を呈し、
該挿線ボックスの壁面上に設置する係合接続部品は、係合接続ほぞで、
該挿線ボックスの貫通口内側には、係合固定柱を設置し、該貫通口内側及び該壁体内側との間に、微小な間隙を備え、
該弾性片の、屈折して係合接続フックを形成する屈折位置は、該係合固定柱と該貫通口及び該壁体間の微小間隙内に嵌合し、
該係合固定柱は、好ましくは湾曲した弧状表面に成型し、
該弾性片の屈折位置は、好ましくは湾曲弧状に成型し、
該ベースのボックス槽の貫通口は、半円状で、
該ベースのボックス槽の外側壁体は平坦で、内側壁体と境界壁とは一体に連接し、
該ベースのボックス槽の壁面上に設置する係合接続部品は、係合接続孔で、
該ベースのボックス槽の底面には、湾曲弧状を呈するランプピン接続孔を開設し、
該ランプピン接続孔は、一端が広がった形状である。
【考案の効果】
【０００５】
本考案の挿線式接線プラスチックランプソケットは、弾性片を、挿線ボックスの収容槽内に対応させて係合し設置し、及び挿線ボックスを、ベースのボックス槽上に嵌合することで、ランプソケットの組立てを完成することができるため、組立て時に、ボルト、リベット、或いはネジなどの連接部品、及び工具を使用する必要があった従来のランプソケットに比べ、構造においても、組立て操作においても、非常にシンプルで、明らかな進歩性を備えている。
同時に、本考案は、電源線の両極の裸線末端を、異なるランプソケット上の挿線ボックスとボックス槽が一緒に組成する接線孔内にそれぞれ挿入して接続することで、ランプソケットと電源との連接を達成することができるため、電源連接に、ボルト、リベット、或いはネジなどの連接部品を利用する必要があった従来のランプソケットに比べ、明らかに省力化を図ることができる。
さらに、本考案は、電線を、異なるランプソケットの接線孔内にそれぞれ挿入して接続することで、多数のランプソケットの電力を直列接続することができ、使用における利便性を明らかに増進することができる。
【図面の簡単な説明】
【０００６】
【図１】本考案実施例の立体分解図である。
【図２】本考案実施例の別種の立体分解図である。
【図３】本考案実施例の組合せ外観立体図である。
【考案を実施するための形態】
【０００７】
以下に図面を参照しながら本考案を実施するための最良の形態について詳細に説明する。
【実施例】
【０００８】
図１、２に示すように、本考案実施例のランプソケット１は、挿線式接線プラスチックランプソケットである。ランプソケット１は、挿線ボックス１０、弾性片２０、ベース３０により組成する。ランプソケット１は、２個の挿線ボックス１０を備える。各挿線ボックス１０は共に、一面が開放状で、内部には、収容槽１１を形成する。各挿線ボックス１０の両端には、外へと貫通する半円状の貫通口１２をそれぞれ備え、外側の壁体１３は平坦で、内側の壁体１４は、内側へと窪んだ弧状を呈する。外側壁体１３と内側壁体１４の外側壁面上には、係合接続ほぞ１５を、それぞれ突出状に設置する。２個の貫通口１２内側横には、それぞれ係合固定柱１６を設置する(図２参照)。係合固定柱１６は、貫通口１２内側及び壁体１３内側との間に、微小な間隙を備える。係合固定柱１６は、好ましくは湾曲した弧状表面を呈する。
【０００９】
さらに、ランプソケット１は、２個の弾性片２０を備える。各弾性片２０の中央部位は、Ｖ型屈折２１を呈し、両端は屈折位置２３を経て、係合接続フック２２を形成する。屈折位置２３は、好ましくは湾曲弧状を呈し、係合固定柱１６と対応する。
【００１０】
ベース３０は、平板３１上に、環状の境界壁３２を設置し、外周上には、接続用の多数の柱体３３を設置し、これにボルトなどを通して設置することができる。平板３１は、境界壁３２上に、相互に対称なボックス槽３４を一体成型する。これにより、１個のランプソケット１は、２個のボックス槽３４を備え、各ボックス槽３４の一面は開放状を呈する。各ボックス槽３４両端には、外へと貫通する半円状の貫通口３５をそれぞれ備え、外側の壁体３６は平坦で、内側の壁体３７は、境界壁３２と一体に連接する。外側壁体３６と内側の境界壁３２上には、係合接続孔３８をそれぞれ設置する。別に、ボックス槽３４の底面には、湾曲弧状を呈するランプピン接続孔３９を開設する。ランプピン接続孔３９は、一端が広がった形状で、しかもランプピン接続孔３９の両端は、内向きに、遮蔽壁３９１が直立する。
【００１１】
組立て時には、弾性片２０を、挿線ボックス１０の収容槽１１内に対応、係合させて設置する。これにより、屈折位置２３は、係合固定柱１６と貫通口１２及び壁体１３間の微小間隙に入る。こうして、２個の係合固定柱１６により、弾性片２０両端を、係合して定位することができ、弾性片２０は挿線ボックス１０から脱出することができなくなる。この時、弾性片２０の両端は、挿線ボックス１０の内側壁体１４上に押さえられる。この過程において、弾性片２０は、圧力作用を受け、微小な非永久変形を生じる。続いて、弾性片２０を装填する挿線ボックス１０を、ベース３０のボックス槽３４上に蓋をする。
これにより、挿線ボックス１０上の係合接続ほぞ１５とベース３０上の係合接続孔３８は、一対一で対応して係合接続する。
こうして、２個の挿線ボックス１０とベース３０とは、安定的に係合接続し、各挿線ボックス１０とボックス槽３４の両端は、それぞれ半円形の貫通口１２と半円形の貫通口３５が合わさり、円形の接線孔４０を形成(図３参照)し、ランプソケット１の組立てを完成させる。
上記により明らかなように、係合接続ほぞ１５と係合接続孔３８の両者は、相互に位置を調整することができる。
【００１２】
設置時には、ランプソケット１の平板３１上のランプピン接続孔３９を設置する面を露出させ、ランプソケット１を、設置位置の壁面(天井、垂直壁、或いは床面など)上にぴったりと置く。続いて、連接部品(ボルトなど)を、柱体３３に挿入して設置し、壁面と螺合して接続し、ランプソケット１の設置を完成させる。
【００１３】
使用時には、外部電源線の両極の裸線の末端を、異なるランプソケット１上の挿線ボックス１０とボックス槽３４により組成される接線孔４０にそれぞれ通す。
この際には、少し力を入れて押入れ、弾性片２０の係合接続フック２２を、内向きに湾曲させ、一時的に変形させる。
これにより、係合接続フック２２と接線孔４０(すなわち、２個半円形貫通口１２、３５)の内側壁体間に隙間を形成し、電源線の裸線の末端は、この隙間を通過して、挿線ボックス１０とボックス槽３４内部に進入することができる。
次に、電源線を押すのを止めると、それ自身の弾性回復力により、係合接続ブック２２の端部は、変形に抵抗し、接線孔４０(すなわち、２個半円形貫通口１２、３５)の内側壁体と共に、電源線の裸線の末端を緊密に挟持する。
【００１４】
こうして、電源の両極は、２個の弾性片２０上にそれぞれ導引され、ランプソケット１は通電状態を形成する。
使用者は、手でランプ(一般の省エネランプ)を持ち、２本の導電ピンを、各ランプピン接続孔３９の広がった端にそれぞれ挿入し、回して、ランプピン接続孔３９の円弧に沿って、ある角度の回転を行わせる。
これにより、各弾性片２０のＶ型屈折２１に密着し、屈折点を越えて、定位される。
この時、ランプの導電ピンは、弾性片２０をそれぞれ押し、微変形を生じさせ、電源両極と電気的連接の作用を達成する。こうして、省エネランプは点灯する。
【００１５】
上記において、電源両極が、挿入接続動作により、ランプソケット１の２個の弾性片２０上にそれぞれ導引され、ランプソケット１が通電状態を形成すると、ランプソケット１の２個の接線孔４０の反対端においては、別の電源線の裸線末端が、それぞれ挿入接続される。これにより、係合接続フック２２と接線孔４０内側壁体は、共同で、裸線末端を緊密に挟持し、電源両極を、別のランプソケット１或いは他の電気製品上へと導出し、使用に供することができる。一個目のランプソケット１の電源両極を、二個目のランプソケット１に導引し、さらに三個目、四個目・・・Ｎ個目のランプソケット１に導引すると、ランプソケットを迅速に直列接続することができ、非常に便利である。よって、電源入力端が１個あれば、たくさんのランプソケット１を同時に点灯させることができ、電源ポートを節減することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１  ランプソケット
１０  挿線ボックス
１１  収容槽
１２  貫通口
１３  壁体
１４  壁体
１５  係合接続ほぞ
１６  係合固定柱
２０  弾性片
２１  Ｖ型屈折
２２  係合接続フック
２３  屈折位置
３０  ベース
３１  平板
３２  境界壁
３３  柱体
３４  ボックス槽
３５  貫通口
３６  壁体
３７  壁体
３８  係合接続孔
３９  ランプピン接続孔
３９１  遮蔽壁
４０  接線孔
【図１】
0003168585.tif 000003
【図２】
0003168585.tif 000004
【図３】
0003168585.tif 000005